(57)【要約】【課題】識別力に優れ、簡便で、かつ、製造コストを削減できるシーリングラベル、およびこのシーリングラベルで包装された容器を提供する。【解決手段】容器２を包装するためのシーリングラベル１であって、蓋部２１を被覆する上部領域１１、容器本体２２を被覆する下部領域１２、および上部領域１１と下部領域１２との間に位置する切り取り領域１３を備え、切り取り領域１３と上部領域１１との境界および切り取り領域１３と下部領域１２との境界に切り取り線１４、１５が設けられ、形状、模様若しくは色彩またはこれらの結合である識別表示３が、下部領域１２に付され、かつ、上部領域１１、上部領域１１と切り取り領域１３とから構成される領域、または上部領域１１と切り取り領域１３と下部領域１２とから構成される領域には、同一または相似の識別表示３が付されることで、蓋部２１と容器本体２２の一体性が識別可能となる。【選択図】図３
2020164255.tif 000002
【特許請求の範囲】
【請求項１】
容器本体と当該容器本体の取出口に脱着可能に装着される蓋部とを備える容器を包装するためのシーリングラベルであって、前記蓋部の全部または一部を被覆する上部領域、前記容器本体の全部または一部を被覆する下部領域、および前記上部領域と下部領域との間に位置する切り取り領域を備え、前記切り取り領域と前記上部領域との境界および前記切り取り領域と前記下部領域との境界に切り取り線が設けられ、形状、模様若しくは色彩またはこれらの結合である識別表示が、前記下部領域に付され、かつ、前記識別表示と同一または相似の識別表示が、前記上部領域、前記上部領域と前記切り取り領域とから構成される領域、または前記上部領域と前記切り取り領域と前記下部領域とから構成される領域に付されることにより、前記蓋部と前記容器本体の一体性が識別可能となることを特徴とするシーリングラベル。
【請求項２】
前記識別表示が、前記下部領域に複数個付され、または／かつ、前記識別表示と同一または相似の識別表示が、前記上部領域、前記上部領域と前記切り取り領域とから構成される領域、または前記上部領域と前記切り取り領域と前記下部領域とから構成される領域に複数個付される請求項１に記載のシーリングラベル。
【請求項３】
前記切り取り領域に開封用のつまみ部が形成された請求項１または２に記載のシーリングラベル。
【請求項４】
請求項１から３のいずれか１項に記載のシーリングラベルで包装されていることを特徴とする容器。
【請求項５】
前記蓋部の天面に、前記シーリングラベルに付された前記識別表示と同一または相似の識別表示が設けられた請求項４に記載の容器。
【発明の詳細な説明】
【技術分野】
【０００１】
本発明は、容器本体と当該容器本体の取出口に脱着可能に装着される蓋部とを備える容器を包装するためのシーリングラベル、およびそのシーリングラベルで包装された容器に関する。
【背景技術】
【０００２】
蓋部を備えた容器を包装するためのシーリングラベルは、開封前の未使用容器であることを担保するために、また、不正操作による開封を防止するために使用されている（例えば、特許文献１−２参照）。
【０００３】
特許文献１に記載のシーリングラベルは、蓋部を被覆する上部領域と、容器本体を被覆する下部領域とを備え、その上部領域には、上端縁に沿って帯状の識別用の着色層が設けられている。そして、シーリングラベルの上部領域の上端部から突出するように形成されたつまみ部からその上部領域を縦断するミシン目線と、上部領域と下部領域との境界に設けられたミシン目線とが接続され、シーリングラベルの開封時には、上部領域が取り除かれる構造となっている。
【０００４】
特許文献２に記載のシーリングラベルは、蓋部を被覆する上部領域と、容器本体を被覆する下部領域とを備え、その上部領域と下部領域との境界に沿って延びた横ミシン目線と、上部領域を斜めに延びた傾斜ミシン目線とが設けられている。また、傾斜ミシン目線の破断に連動して横ミシン目線も破断できるよう、横ミシン目線と傾斜ミシン目線の接点領域には長大不切部が設けられており、蓋部を回転させることによって上部領域が取り除かれる構造となっている。
【先行技術文献】
【特許文献】
【０００５】
【特許文献１】特開２００８−０６８９０７号公報
【特許文献２】特開２００１−１３０６２１号公報
【発明の概要】
【発明が解決しようとする課題】
【０００６】
特許文献１および２に開示されたシーリングラベルでは、開封後、蓋部を被覆する上部領域が取り除かれ、蓋部と容器本体の一体性（共通性）が失われる結果、多数の点眼容器を所持する使用者の場合には、本来の蓋部とは異なる別の蓋部を誤って装着してしまうことがある。その一方で、蓋部を着色するなどして蓋部と容器本体の一体性を確保する態様も取り得るが、多種類の容器内容物を識別するためにはバリエーションが不足し、実用的な対処法には至っていないのが現状である。
【０００７】
他に、蓋部と容器本体の一体性を確保するために、蓋部の側面に直接、識別表示を設けることも考えられる。しかしながら、蓋部の形状は平面的でないため識別表示を設けることは容易ではなく、さらに、蓋部の側面に識別表示を設けるためには製造コストが増大するという不都合も生じる。
【０００８】
そこで上記課題に鑑み、本願発明は、識別力に優れ、簡便で、かつ、製造コストを削減できるシーリングラベル、およびこのシーリングラベルで包装された容器を提供することを目的とする。
【課題を解決するための手段】
【０００９】
本発明に係るシーリングラベルは、容器本体と当該容器本体の取出口に脱着可能に装着される蓋部とを備える容器を包装するためのシーリングラベルであって、前記蓋部の全部または一部を被覆する上部領域、前記容器本体の全部または一部を被覆する下部領域、および前記上部領域と下部領域との間に位置する切り取り領域を備え、前記切り取り領域と前記上部領域との境界および前記切り取り領域と前記下部領域との境界に切り取り線が設けられ、形状、模様若しくは色彩またはこれらの結合である識別表示が、前記下部領域に付され、かつ、前記識別表示と同一または相似の識別表示が、前記上部領域、前記上部領域と前記切り取り領域とから構成される領域、または前記上部領域と前記切り取り領域と前記下部領域とから構成される領域に付されることにより、前記蓋部と前記容器本体の一体性（共通性）を認識することが可能となる。
【００１０】
本構成のように、シーリングラベルの下部領域に付される形状、模様若しくは色彩またはこれらの結合である識別表示と同一または相似の識別表示を、上部領域、上部領域と切り取り領域とから構成される領域、または上部領域と切り取り領域と下部領域とから構成される領域に付することで、容易に蓋部と容器本体の一体性を認識することができる。また、形状、模様若しくは色彩またはこれらの結合である識別表示は、使用者が称呼しやすい表示、例えば三角形、正方形、ひし形、円、星型、三日月型、ハート型などの図形、アルファベットやひらがなの一文字をはじめ、様々なバリエーションを取り得るので、容器の内容物が多種類に及ぶ場合でも内容物毎に共通する識別表示を容易に作出することができる。さらに、形状、模様若しくは色彩またはこれらの結合である識別表示は、エンボス加工等を施こせば視覚障害者にも識別を容易にすることができる。
【００１１】
さらに、切り取り領域は、シーリングラベルの上部領域と下部領域との間に位置しているので、開封後もシーリングラベルの上部領域と下部領域はそれぞれ蓋部と容器本体に付着したままであり、容器の使用期間中、蓋部と容器本体の一体性は維持され続ける。
【００１２】
本発明のシーリングラベルにあっては、形状、模様若しくは色彩またはこれらの結合である前記識別標識が、下部領域に複数個付され、または／かつ、前記識別表示と同一または相似の識別表示が、前記上部領域、前記上部領域と前記切り取り領域とから構成される領域、または前記上部領域と前記切り取り領域と前記下部領域とから構成される領域に複数個付されることが好ましい。
【００１３】
本構成のように、シーリングラベルの下部領域や少なくとも上部領域を含む領域に複数個の識別表示を付することで、容器の周方向のあらゆる角度から識別表示を目視することが可能となる。とりわけ、容器の使用時は、蓋部が取り外されるため、蓋部を被覆する上部領域と容器本体を被覆する下部領域とに、同一または相似の複数個の識別表示を付することで識別力が高まる結果、使用者による容器本体と蓋部の間に生じる誤装着を確実に防止できる。
【００１４】
本発明のシーリングラベルにあっては、前記切り取り領域に開封用のつまみ部が形成されていると好適である。
【００１５】
本構成のように切り取り領域につまみ部を備えることで、シーリングラベルを開封し易くなる。また、つまみ部の先端方向は、把持し易いように、上部領域、切り取り領域、および下部領域のいずれの方向に配置しても良い。
【００１６】
本発明のシーリングラベルにあっては、前記上部領域および前記下部領域の裏面の所要範囲に粘着剤が付与されていると好適である。
【００１７】
本構成のように上部領域および下部領域の裏面の所要範囲に付与された粘着剤によって、シーリングラベルの容器への接着が良好なものとなる。したがって、切り取り領域を破断した後も、シーリングラベルの上部領域と下部領域はそれぞれ蓋部と容器本体に接着したままとなり、いつまでも容器本体と蓋部の一体性（共通性）を認識することができる。
【００１８】
本発明のシーリングラベルが付された容器は、本発明のシーリングラベルを容器に包装することにより得られる。
【００１９】
本発明のシーリングラベルは、印刷等の簡便な方法でラベル表面に識別表示を付することができ、蓋部および容器本体に直接に識別表示を設ける必要はないので、製造コストの削減にも貢献する。
【００２０】
本発明の容器において、さらに容器本体と蓋部の一体性（共通性）を高めるために、前記蓋部の天面に、前記シーリングラベルに付された前記形状、模様若しくは色彩またはこれらの結合である識別表示と同一または相似の識別表示を設けることもできる。
【００２１】
本構成のように、シーリングラベルに表示された識別表示と同一または相似の識別表示を蓋部の天面に設けることで、容器の上部からも容器本体と蓋部の一体性（共通性）を認識することが可能となる。
【図面の簡単な説明】
【００２２】
【図１】本発明の第１実施形態に係るシーリングラベルの正面図
【図２】本発明の第１実施形態に係るシーリングラベルに識別表示を付した正面図
【図３】本発明の第１実施形態に係るシーリングラベルを包装した容器の斜視図
【図４】本発明の第１実施形態に係るシーリングラベルを開封した容器の斜視図
【図５】本発明の第１実施形態に係るシーリングラベルに識別表示を付した正面図
【図６】本発明の第１実施形態に係るシーリングラベルに識別表示を付した正面図
【図７】本発明の第１実施形態に係るシーリングラベルに識別表示を付した正面図
【図８】本発明の第１実施形態に係るシーリングラベルに識別表示を付した正面図
【図９】本発明の第１実施形態に係るシーリングラベルに識別表示を付した正面図
【図１０】本発明の第１実施形態に係るシーリングラベルに識別表示を付した正面図
【図１１】本発明の第１実施形態に係るシーリングラベルに識別表示を付した正面図
【図１２】本発明の第１実施形態に係るシーリングラベルを開封した容器の斜視図
【図１３】本発明の第１実施形態に係るシーリングラベルに識別表示を付した正面図
【図１４】本発明の第２実施形態に係るシーリングラベルの正面図
【図１５】本発明の第２実施形態に係るシーリングラベルに識別表示を付した正面図
【図１６】本発明の第２実施形態に係るシーリングラベルに識別表示を付した正面図
【図１７】本発明の第２実施形態に係るシーリングラベルに識別表示を付した正面図
【図１８】本発明の別実施形態に係るシーリングラベルの正面図
【図１９】本発明の第１実施形態に係るシーリングラベルに識別表示を付した正面図
【図２０】本発明の第１実施形態に係るシーリングラベルに識別表示を付した正面図
【図２１】本発明の第１実施形態に係るシーリングラベルに識別表示を付した正面図
【図２２】本発明の第１実施形態に係るシーリングラベルに識別表示を付した正面図
【図２３】本発明の第１実施形態に係るシーリングラベルに識別表示を付した正面図
【図２４】本発明の第１実施形態に係るシーリングラベルに識別表示を付した正面図
【図２５】本発明の第１実施形態に係るシーリングラベルに識別表示を付した正面図
【図２６】本発明の第１実施形態に係るシーリングラベルに識別表示を付した正面図
【図２７】本発明の第１実施形態に係るシーリングラベルに識別表示を付した正面図
【図２８】本発明の第１実施形態に係るシーリングラベルに識別表示を付した正面図
【図２９】本発明の第１実施形態に係るシーリングラベルに識別表示を付した正面図
【図３０】本発明の第１実施形態に係るシーリングラベルに識別表示を付した正面図
【図３１】本発明の第１実施形態に係るシーリングラベルに識別表示を付した正面図
【図３２】本発明の第１実施形態に係るシーリングラベルに識別表示を付した正面図
【図３３】本発明の第１実施形態に係るシーリングラベルに識別表示を付した正面図
【図３４】本発明の第１実施形態に係るシーリングラベルに識別表示を付した正面図
【図３５】本発明の第１実施形態に係るシーリングラベルに識別表示を付した正面図
【図３６】本発明の第１実施形態に係るシーリングラベルに識別表示を付した正面図
【図３７】本発明の第１実施形態に係るシーリングラベルに識別表示を付した正面図
【図３８】本発明の第１実施形態に係るシーリングラベルに識別表示を付した正面図
【図３９】本発明の第１実施形態に係るシーリングラベルに識別表示を付した正面図
【図４０】本発明の第１実施形態に係るシーリングラベルに識別表示を付した正面図
【図４１】本発明の第１実施形態に係るシーリングラベルに識別表示を付した正面図
【図４２】本発明の第１実施形態に係るシーリングラベルに識別表示を付した正面図
【図４３】本発明の第１実施形態に係るシーリングラベルに識別表示を付した正面図
【図４４】本発明の第１実施形態に係るシーリングラベルに識別表示を付した正面図
【図４５】本発明の第１実施形態に係るシーリングラベルに識別表示を付した正面図
【図４６】本発明の第１実施形態に係るシーリングラベルに識別表示を付した正面図
【図４７】本発明の第１実施形態に係るシーリングラベルに識別表示を付した正面図
【図４８】本発明の第１実施形態に係るシーリングラベルに識別表示を付した正面図
【発明を実施するための形態】
【００２３】
以下に、本発明に係るシーリングラベル１の実施形態について、図面に基づいて説明する。本実施形態では、シーリングラベル１の一例として、点眼容器２に包装される例を説明する。ただし、本発明は、以下の実施形態に限定されることはなく、種々の変形が可能である。
【００２４】
［第１実施形態］
図１には、第１実施形態に係るシーリングラベル１の正面図が示される。なお、シーリングラベル１の背面図は、正面図と左右対称に表れるため省略する。
【００２５】
図２には、第１実施形態に係るシーリングラベル１に識別表示３（形状、模様若しくは色彩またはこれらの結合）を付した平面図が示される。また、図３および図４には、本実施形態に係るシーリングラベル１を点眼容器２に包装した状態およびそれを開封した状態として、外面が多角形状に形成された円錐台状の蓋部２１と、中央に押圧用の凹部２４を設けた長円柱状の容器本体２２とを有する点眼容器２（容器）の斜視図が示される。
【００２６】
本実施形態におけるシーリングラベル１は、図１に示すように、矩形状の樹脂フィルムで構成され、例えば、熱収縮させることで点眼容器２に被覆・保持されるシュリンクラベルである。また、シーリングラベル１は、シュリンクラベルに限定されるものではなく、ストレッチラベルなどであっても良い。
【００２７】
シーリングラベル１は、図３に示すように、蓋部２１を容器本体２２に装着した状態で、蓋部２１の全部または一部を被覆する上部領域１１と、容器本体２２の全部または一部を被覆する下部領域１２と、上部領域１１と下部領域１２との間に位置する切り取り領域１３とを備えている。本実施形態における上部領域１１は、蓋部２１の側面および天面２３の一部を被覆し、下部領域１２は、容器本体２２の側面を被覆している。なお、上部領域１１と下部領域１２の被覆範囲は、それぞれ蓋部２１と容器本体２２の全部または一部であればよく、特に限定されない。
【００２８】
切り取り領域１３と上部領域１１との境界にはミシン目線１４（切り取り線）が設けられ、切り取り領域１３と下部領域１２との境界にはミシン目線１５（切り取り線）が設けられている。すなわち、切り取り領域１３は、横長の帯状であって、一方の端部から点眼容器２にシーリングラベル１を巻き付ける方向に沿った他方の端部まで延設されている。
そして、切り取り領域１３の上下方向に、ミシン目線１４、１５を介して矩形状の上部領域１１と下部領域１２が形成されている。ここで、本明細書において、「ミシン目線」とは、ミシン針の縫い跡のようにシーリングラベル１の表裏面に貫通する複数の貫通孔（切部１６）が所定間隔を開けて形成された、貫通孔の集合のことをいう。かかるミシン目線は、隣接する貫通孔の間に、貫通処理のされていない部分（不切部１７）が存在する。
【００２９】
また、切り取り領域１３には、端部に開封用のつまみ部１８が形成されている。本実施形態におけるつまみ部１８は、切り取り領域１３と一体的に横方向に形成されている。このつまみ部１８の突出量は、シーリングラベル１の熱収縮特性に応じて捻じれ難くなるよう、適切な長さに設定される。
【００３０】
点眼容器２は、つまみ部１８を把持して、切り取り領域１３を点眼容器２の周方向に沿って破断する操作により、シーリングラベル１を開封して使用する。なお、本実施形態におけるつまみ部１８の先端形状は、半円弧状であるが、角形状や三角形状のものなど、収縮強度や把持し易さなどを考慮して適宜決定される。また、つまみ部１８の位置は、切り取り領域１３の端部に限定されない。
【００３１】
ミシン目線１４、１５の切部１６は、不切部１７より長く形成されていることが好ましい。こうすることにより、ミシン目線１４、１５はよりスムーズに破断される。なお、１つの切部１６の正面視形状は、細長い直線状、針穴状（打ち抜き略円形状又は略楕円形状）などスムーズに破断され易い形状であれば特に限定されず、図１には、細長い直線状のものが示されている。
【００３２】
シーリングラベル１は、その裏面の所要範囲に粘着剤が付与されており、上部領域１１および下部領域１２の裏面の所要範囲に粘着剤が付与されていることが好ましい。また、シーリングラベル１は、蓋部２１と容器本体２２に巻き付けて熱収縮させて貼り付けてもよいし、シーリングラベル１を予め筒状に形成しておいて、蓋部２１と容器本体２２に外嵌した後、熱収縮させて貼り付けてもよい。
【００３３】
図４に示すように、点眼容器２のシーリングラベル１を開封すると、切り取り領域１３は取り除かれるが、上部領域１１、下部領域１２は、それぞれ蓋部２１、容器本体２２に付着したままである。従って、上部領域１１と下部領域１２に付された夫々の識別表示３を照合すれば、容易に蓋部２１と容器本体２２の一体性（共通性）を認識できる。
【００３４】
続いて、図２および図５−図８の平面図を用いて、シーリングラベル１の表面に付される、形状、模様若しくは色彩またはこれらの結合である識別表示３の態様について説明する。なお、図面の理解を助けるため、識別表示３はその他と比較して色調差を持たせているが、色調を同一にして構成しても良い。
【００３５】
識別表示３は、形状、模様若しくは色彩またはこれらの結合である。点眼容器２に含まれる薬剤成分やその含有量などを考慮して識別表示３を作成することが望ましい。
【００３６】
図２および図５に示すように、上部領域１１と下部領域１２には、識別表示３として同一または相似の三角形状が一個または複数個（図面の一例では２つ）付されている。本実施形態の識別表示３は、三角形状に色彩が付されている。このため、あらゆる方向から、蓋部２１と容器本体２２の一体性を認識することができる。
【００３７】
識別表示３の形状、模様、色彩を変化させることで、様々なバリエーションを取り得るので、点眼容器２の内容物が多種類に及ぶ場合でも、容易に内容物毎に共通する識別表示３を作出することができる。
【００３８】
点眼容器２において、シーリングラベル１のつまみ部１８を把持して開封しても、上部領域１１と下部領域１２がそれぞれ蓋部２１と容器本体２２に付着したままであるので、識別表示３の識別力が保持され続ける。よって、点眼容器２の使用期間中、蓋部２１と容器本体２２の一体性は維持され、使用者は容器本体２２の識別表示３と蓋部２１の識別表示３を視覚によって認識することで、間違えることなく蓋部２１を容器本体２２に装着することができる。
【００３９】
図２に示すように、シーリングラベル１の上部領域１１には、その左右方向に識別表示３が２つ付されている。上部領域１１の２つの識別表示３は、シーリングラベル１を点眼容器２に包装したとき、夫々の識別表示３が、蓋部２１の正面および背面に位置するように配置するのが望ましい。また、シーリングラベル１の下部領域１２には、上部領域１１に付される識別表示３（シーリングラベル１を点眼容器２に包装したときに、蓋部２１の正面となる識別表示３）の中心に対して左右対称となるように識別表示３が２つ付されている。下部領域１２の２つの識別表示３は、図３−４に示すように、シーリングラベル１を点眼容器２に包装したとき、容器本体２２の正面から見て両側部に配置される。なお、上部領域１１や下部領域１２に付される識別表示３は１つ、２つに限定されることはなく、３つ以上であってもよい。
【００４０】
上部領域１１や下部領域１２に複数個の識別表示３を付することで、あらゆる方向から識別表示３を認識することが可能となり、蓋部２１を容器本体２２に誤装着するのを確実に防止できる。特に、下部領域１２に２つの識別表示３を付することで、より一層、あらゆる方向から識別表示３を認識し易くなる。
【００４１】
また、シーリングラベル１の下部領域１２には、例えば白地である矩形状の文字表示部を備えてもよく、文字表示部には、点眼剤の薬剤成分、製造番号などを記載するのが望ましい。
【００４２】
図３に示すように、蓋部２１の天面２３にも、識別表示３を設けることができる。天面２３に設けられる識別表示３は、蓋部２１と一体に成形されてもよいし、蓋部２１の天面２３に別途設けてもよい。天面２３に識別表示３を設けることにより、蓋部２１の上部からも蓋部２１と容器本体２２の一体性を認識することができる。
【００４３】
図６−図８には、少なくとも上部領域１１を含む領域の表面に付される識別表示３の異なる態様が示される。図６は、識別表示３が、上部領域１１と切り取り領域１３とから構成される領域に付され、また、図７は、識別表示３が、上部領域１１と切り取り領域１３と下部領域１２とから構成される領域に付されている。図８は、２つの識別表示３のうち、一方の識別表示３が上部領域１１と切り取り領域１３と下部領域１２とから構成される領域に付され、他方の識別表示３が上部領域１１と切り取り領域１３とから構成される領域に付されている。
【００４４】
なお、これらの態様以外にも、複数個の識別表示３を、上部領域１１、上部領域１１と切り取り領域１３とから構成される領域、または上部領域１１と切り取り領域１３と下部領域１２とから構成される領域の組み合わせで、適宜付すことができる。
【００４５】
図６−図８に示すように識別表示３が切り取り領域１３に付される態様であっても、元の形状が想像できるように上部領域１１に識別表示３が形成されているので、切り取り領域１３を破断した後であっても識別力は失われない。また、識別表示３のうち切り取り領域１３の部分が欠けることによって、シーリングラベル１の開封の有無を判別することが可能となる。
【００４６】
図９−図１１には、上部領域１１と下部領域１２に、識別表示３として同一または相似の円形状が複数個（図面の一例では２つ）付された例が示される。図９は、識別表示３が上部領域１１に付されている。図１０は、識別表示３が、上部領域１１と切り取り領域１３とから構成される領域に付されている。図１１は、識別表示３が、上部領域１１と切り取り領域１３と下部領域１２とから構成される領域に付されている。
【００４７】
また、図９−図１３に示すように、上部領域１１および天面２３にある識別表示３の内部に、点眼容器２の薬剤含有率を記載している。さらに、図１２に示すようにシーリングラベル１を点眼容器２に包装した際、下部領域１２のうち、容器本体２２の正面中央付近となる位置に、上部領域１１および天面２３にある識別表示３の内部に記載された薬剤含有率と共通の薬剤含有率を記載している。
【００４８】
なお、薬剤含有率の一例として、１ｍｌの点眼液に対して１ｍｇの薬剤を含有していることを意味する数字（０．１％）を記載しているように、薬剤含有率に応じた値を適宜記載することができる。また、上部領域１１と下部領域１２に付される識別表示３として、同一または相似の円形状が夫々２つである例を示したが、識別表示３の種類や数量は特に限定されない。また、上部領域１１にある２つの識別表示３のいずれか一方にのみ薬剤含有率を記載しても良いし、天面２３にある識別表示３や薬剤含有率を省略しても良い。
【００４９】
図１２に示すように、シーリングラベル１を点眼容器２に包装したとき、上部領域１１、下部領域１２および天面２３には、同一または相似の識別表示３と共通の薬剤含有率とが付されているので、あらゆる方向から蓋部２１と容器本体２２の一体性を確実に認識することができる。
【００５０】
図１３に示すように、点眼容器２のシーリングラベル１を開封すると、切り取り領域１３は取り除かれるが、上部領域１１、下部領域１２は、それぞれ蓋部２１、容器本体２２に付着したままである。従って、上部領域１１、下部領域１２および天面２３の識別表示３を照合すれば、あらゆる方向から容易に蓋部２１と容器本体２２の一体性を認識できる。さらに、例えば同一の形状の識別表示３が付され、薬剤含有率の異なる２種類の点眼容器２があった場合でも、上部領域１１、下部領域１２および天面２３には、共通の薬剤含有率が記載されているので、蓋部２１を容器本体２２に誤装着するといった不都合を確実に防止できる。
【００５１】
［第２実施形態］
図１４には、第２実施形態に係るシーリングラベル１の正面図が示される。なお、シーリングラベル１の背面図は、正面図と左右対称に表れるため省略する。以下、第１実施形態と同様の構成については説明を省略し、異なる構成についてのみ説明する。
【００５２】
本実施形態における切り取り領域１３には、一方の端部から点眼容器２にシーリングラベル１を巻き付ける方向に沿った他方の端部まで延出する第１領域１９と、第１領域１９から上部領域１１の方向に延出する第２領域２０とが形成されている。すなわち、第１領域１９から上部領域１１の方向に分岐して、傾斜した第２領域２０が形成されている点が第１実施形態と異なる。
【００５３】
第２領域２０は、図１５−図１７に示すように、上部領域１１の左辺側に形成され、上部領域１１に付された識別表示３に悪影響を及ぼさない配置となっている。よって、シーリングラベル１の識別力を担保しつつ、第２領域２０によって切り取り領域１３の視認性が高まる。また、第２領域２０を傾斜して構成しているので、シーリングラベル１の開封時につまみ部１８を把持し易い。なお、第２領域２０は傾斜させずに、第１領域１９に直交するように形成しても良い。
【００５４】
第２領域２０は、切部１６がミシン目線１４まで連接した右辺と、切部１６と不切部１７とがミシン目線１５に連接した左辺とを有する。これは、つまみ部１８を把持し易いように、右辺の切部１６を大きく形成し、左辺に不切部１７を設けたものである。なお、右辺にも不切部１７を設けても良い。
【００５５】
図１５−図１７には、シーリングラベル１の表面に付される、形状、模様若しくは色彩またはこれらの結合である識別表示３の態様が示される。図１５は、識別表示３が上部領域１１に付されている。図１６は、識別表示３が、上部領域１１と切り取り領域１３とから構成される領域に付されている。図１７は、識別表示３が、上部領域１１と切り取り領域１３と下部領域１２とから構成される領域に付されている。
【００５６】
第２実施形態における識別表示３の数量や配置は、第１実施形態のごとく適宜組み合わせることができるのは、勿論である。すなわち、少なくとも上部領域１１を含む領域または下部領域１２に付される２つの識別表示３は、左右のいずれか一方がないものとして構成しても良い。また、上部領域１１に付される複数個の識別表示３を、上部領域１１、上部領域１１と切り取り領域１３とから構成される領域、または上部領域１１と切り取り領域１３と下部領域１２とから構成される領域の組み合わせで、適宜付すことができる。
【００５７】
なお、図１５−図１７の識別表示３はその他と比較して色調差を持たせているが、色調を同一にして構成しても良い。
【００５８】
［その他の実施形態］
（１）図１８は、別実施形態に係るシーリングラベル１の正面図が示される。本実施形態では、つまみ部１８が、第１実施形態における切り取り領域１３から延出して形成される。これにより、つまみ部１８をより良好に把持することができるので、シーリングラベル１をより開封し易くなる。
（２）上述した実施形態では、つまみ部１８を切り取り領域１３と一体で形成したが、つまみ部１８を切り取り領域１３とは別々に形成して、切り取り領域１３に接着しても良い。これにより、つまみ部１８の先端方向を、上下・左右のあらゆる方向に配置できる。
（３）本発明におけるシーリングラベル１の表面に付される識別表示３は、例えば図１９−図２１に示すような矩形状、図２２−図２４に示すような菱形状、図２５−図２７に示すような長円形状、図２８−図３０に示すようなクローバ形状、図３１−図３３に示すような星形状、図３４−図３６に示すような月形状、図３７−図３９に示すような涙粒形状、図４０−図４２に示すようなＺ形状、図４３−図４５に示すようなハート形状、図４６−図４８に示すようなＣ形状であっても良い。これらの図形は一例にすぎず、本発明におけるシーリングラベル１の表面には、形状、模様、色彩を組み合わせることで様々な識別表示３を付することができる。
また、識別表示３の数量や配置は、第１実施形態のごとく適宜組み合わせることができるのは勿論のことである。すなわち、少なくとも上部領域１１を含む領域または下部領域１２に付される２つの識別表示３は、左右のいずれか一方がないものとして構成しても良い。また、上部領域１１に付される複数個の識別表示３を、上部領域１１、上部領域１１と切り取り領域１３とから構成される領域、または上部領域１１と切り取り領域１３と下部領域１２とから構成される領域の組み合わせで適宜付すことができる。
なお、図１９−図４８の識別表示３はその他と比較して色調差を持たせているが、色調を同一にして構成しても良い。さらに、これらの識別表示３に点眼容器２の内容物の含有率などを示す文字や数字等を組み込んでも良い。
（４）上述した実施形態では、シーリングラベル１を矩形状に形成したが、点眼容器２の形状に合わせて包装できる形状であれば、例えば、長円形状のものであっても良く、特に限定されない。
（５）上述した実施形態のごとく、蓋部２１を円錐台状、および、容器本体２２を長円柱状に形成することに限定されず、例えば双方を四角柱状に形成しても良く、どのような形状であっても良い。
【産業上の利用可能性】
【００５９】
本発明は、例えば、液剤、錠剤、細粒剤、顆粒剤などを収容する容器に包装されるシーリングラベル、およびそのシーリングラベルで包装された容器に利用できる。
【符号の説明】
【００６０】
１    シーリングラベル
１１  上部領域
１２  下部領域
１３  切り取り領域
１４  ミシン目線（切り取り線）
１５  ミシン目線（切り取り線）
１８  つまみ部
１９  第１領域
２０  第２領域
２    点眼容器（容器）
２１  蓋部
２２  容器本体
２３  天面
３    識別表示（形状、模様若しくは色彩またはこれらの結合）
【図１】
2020164255.tif 000003
【図２】
2020164255.tif 000004
【図３】
2020164255.tif 000005
【図４】
2020164255.tif 000006
【図５】
2020164255.tif 000007
【図６】
2020164255.tif 000008
【図７】
2020164255.tif 000009
【図８】
2020164255.tif 000010
【図９】
2020164255.tif 000011
【図１０】
2020164255.tif 000012
【図１１】
2020164255.tif 000013
【図１２】
2020164255.tif 000014
【図１３】
2020164255.tif 000015
【図１４】
2020164255.tif 000016
【図１５】
2020164255.tif 000017
【図１６】
2020164255.tif 000018
【図１７】
2020164255.tif 000019
【図１８】
2020164255.tif 000020
【図１９】
2020164255.tif 000021
【図２０】
2020164255.tif 000022
【図２１】
2020164255.tif 000023
【図２２】
2020164255.tif 000024
【図２３】
2020164255.tif 000025
【図２４】
2020164255.tif 000026
【図２５】
2020164255.tif 000027
【図２６】
2020164255.tif 000028
【図２７】
2020164255.tif 000029
【図２８】
2020164255.tif 000030
【図２９】
2020164255.tif 000031
【図３０】
2020164255.tif 000032
【図３１】
2020164255.tif 000033
【図３２】
2020164255.tif 000034
【図３３】
2020164255.tif 000035
【図３４】
2020164255.tif 000036
【図３５】
2020164255.tif 000037
【図３６】
2020164255.tif 000038
【図３７】
2020164255.tif 000039
【図３８】
2020164255.tif 000040
【図３９】
2020164255.tif 000041
【図４０】
2020164255.tif 000042
【図４１】
2020164255.tif 000043
【図４２】
2020164255.tif 000044
【図４３】
2020164255.tif 000045
【図４４】
2020164255.tif 000046
【図４５】
2020164255.tif 000047
【図４６】
2020164255.tif 000048
【図４７】
2020164255.tif 000049
【図４８】
2020164255.tif 000050